(57)【要約】【課題】傾きのないように封印シールを貼り付けることができるようにした遊技機用制御基板収納ケースを提供することである。【解決手段】ケース本体３１の開口を閉塞する蓋３２の内面に、封印シール５０の貼付領域を示す位置表示マーク４４を形成し、上記封印シール５０をケース本体３１と蓋３２に跨って貼り付ける際に、封印シール５０の輪郭を位置表示マーク４４に一致させるようにして封印シール５０の貼り付けを行うようにする。【選択図】図７
2012176306.tif 000002
【特許請求の範囲】
【請求項１】
端板の外周に周壁が形成され、その周壁内に制御基板が収容された透明なケース本体と、そのケース本体の開口を閉塞する板状の透明な蓋とからなり、前記ケース本体と蓋のそれぞれ外表面に跨って封印シールを貼着する遊技機用制御基板収納ケースにおいて、
前記ケース本体の内面と前記蓋の内面の少なくとも一方に、前記封印シールの貼付領域を示す位置表示マークを設けたことを特徴とする遊技機用制御基板収納ケース。
【発明の詳細な説明】
【技術分野】
【０００１】
この発明は、パチンコ機やスロットマシン等の遊技機の遊技動作を制御する制御基板の収納ケースに関する。
【背景技術】
【０００２】
遊技板の中央部にセンター役物を取付け、そのセンター役物に設けられた開口の後方に液晶表示装置等の図柄表示装置を配置し、上記センター役物の下方に設けられた始動入賞口に遊技球が入賞した際、図柄表示装置の表示パネルに図柄の変動表示を所定時間行わせ、複数の特別図柄が特定の停止表示態様で停止表示された時、大当たり遊技状態として、特別可変入賞装置の入口を塞いでいた扉を予め定められた作動条件に従って開閉させるようにしたパチンコ機においては、その背面側に複数の制御基板が取付けられている。
【０００３】
制御基板には、遊技動作を制御する主制御基板、その主制御基板に電気を供給する電源基板、遊技球の払出しを制御する払出し制御基板、遊技球の発射を制御する発射制御基板、図柄表示装置の図柄を変動表示させる図柄制御基板、ランプの点滅を制御するランプ制御基板、サウンドの出力を制御するサウンド制御基板、役物機構を制御する役物制御基板等が存在する。
【０００４】
これらの各種の制御基板は、普通、透明な収納ケース内に収容され、その収納ケースの取付けによって装着状態とされる。ここで、遊技動作を制御する主制御基板においては、ＲＯＭが交換されると、当初認められた遊技内容と異なる遊技内容を実行することになる。このような不正行為を防止する目的から、特許文献１に記載のように、収納ケースを形成するケース本体と板状の蓋に跨るようにして封印シールを貼付けるようにしている。
【０００５】
ここで、封印シールは片面に粘着剤層を有し、加圧により接着し得るようになっている。この封印シールとしては、特許文献１に記載されているように、収納ケースへの貼着状態で、その収納ケース側に染料色を残すようにしたものや、積層構造体とされて、一度剥がされると、層間剥離や部分剥離が生じて当初の状態に復元させることができず、また、収納ケース側に剥離痕が残り、不正行為がされたかどうか判別し得るようにしたもの等があり、いずれの封印シールも腰が強く、不完全に接着されると、折れ曲がり部の復元弾性により自然に剥れるおそれがある。また、図８に示すように、封印シール５０には、製造メーカを特定し得るように、会社名を含むロゴ５１が印刷されている。
【先行技術文献】
【特許文献】
【０００６】
【特許文献１】特開平１０−１５１９７号公報
【発明の概要】
【発明が解決しようとする課題】
【０００７】
ところで、封印シール５０は矩形をなすため、制御基板収納ケースに対する貼着の際に、誤って傾きの生じた状態で貼り付けられる場合がある。万一、傾きの生じた不良な貼り付けであると、不正行為がなされた感じを与えることになるため、このような不良貼付を避ける必要があり、その防止対策が要望されている。
【０００８】
この発明の課題は、傾きのないように封印シールを貼り付けることができるようにした遊技機用制御基板収納ケースを提供することである。
【課題を解決するための手段】
【０００９】
上記の課題を解決するために、この発明においては、端板の外周に周壁が形成され、その周壁内に制御基板が収容された透明なケース本体と、そのケース本体の開口を閉塞する板状の透明な蓋とからなり、前記ケース本体と蓋のそれぞれ外表面に跨って封印シールを貼着する遊技機用制御基板収納ケースにおいて、
前記ケース本体の内面と前記蓋の内面の少なくとも一方に、前記封印シールの貼付領域を示す位置表示マークを設けた構成を採用したのである。
【００１０】
ケース本体の内面と蓋の内面の少なくとも一方に封印シールの貼付領域を示す位置表示マークを設けておくことで、傾きのないように封印シールを貼り付けることができる。また、位置表示マークを収納ケースの内面側とすることによって、その位置表示マークが封印シールの貼着を阻害するという不都合の発生はなく、制御基板収納ケースの外表面に対して封印シールの粘着面の全体が密着する貼着状態を得ることができる。
【発明の効果】
【００１１】
上記のように、この発明においては、ケース本体の内面と蓋の内面の少なくとも一方に封印シールの貼付領域を示す位置表示マークを設けたことにより、傾きのないように封印シールを貼り付けることができる。
【００１２】
また、位置表示マークを収納ケースの内面に形成したことにより、封印シールの貼着が阻害されるというようなことがなく、封印シールの粘着面の全体が密着する貼着状態を得ることができる。
【図面の簡単な説明】
【００１３】
【図１】この発明に係る制御基板収納ケースが取り付けられたパチンコ機の正面図
【図２】図１に示すパチンコ機の背面から見た状態の概略図
【図３】この発明に係る制御基板収納ケースを示す斜視図
【図４】図３のIV−IV線に沿った断面図
【図５】図３の一部を拡大して示す正面図
【図６】図５のVI−VI線に沿った断面図
【図７】制御基板収納ケースの分解斜視図
【図８】封印シールの一例を示す正面図
【００１４】
以下、この発明の実施の形態を図面に基づいて説明する。図１に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００１５】
中枠３の表側には、上皿５を有する前面枠４が設けられている。前面枠４は、ものであり、その一側部が中枠３に軸支されて開閉自在とされ、閉鎖状態において中枠３の前面を覆うようになっている。その前面枠４の下側に下皿７を有する皿板６が設けられている。
【００１６】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に支持された遊技盤１０の遊技領域１１に発射されるようになっている。
【００１７】
遊技盤１０はガイドレール１２を前面に有し、そのガイドレール１２の内側が遊技領域１１とされている。遊技領域１１には、遊技球の落下方向を分散、調整するための多数の釘１３や風車１４、液晶表示装置等からなる図柄表示装置１５、始動入賞口１６、特別可変入賞装置１７等の遊技部品が取付けられている。
【００１８】
ここで、遊技領域１１に発射された遊技球が、その遊技領域１１に落下して始動入賞口１６に入賞すると、図柄表示装置１５の表示パネルに特別図柄の変動表示が所定時間行われ、複数の特別図柄が特定の表示態様で停止表示されると、大当たり遊技状態が発生し、特別可変入賞装置１７の入口を塞いでいた扉１７ａが予め定められた作動条件に従って開閉するようになっている。
【００１９】
図２は、パチンコ機を背面から見た状態の概略を示し、その背面側には複数の制御基板が設けられているが、ここでは、遊技動作を制御する主制御基板２０、その主制御基板２０に電気を供給する電源基板２１、遊技球の払出しを制御する払出し制御基板２２、図柄表示装置１５の図柄を変動表示させる図柄制御基板２３のみを示し、他の制御基板については省略している。
【００２０】
各制御基板は、収納ケース内に収容されて保護されている。主制御基板２０のように、ＲＯＭが交換されると、当初認められた遊技内容と異なる遊技内容を実現することになる。その不正行為を防止するため、主制御基板２０のように、不正行為がされてはならない制御基板（以下、単に制御基板Ｘという）を収容する制御基板収納ケースには封印シールが貼り付けられる。
【００２１】
図３乃至図７は、封印シールが貼り付けられる制御基板収納ケース３０を示す。この制御基板収納ケース３０は、ケース本体３１と蓋３２とからなる。ケース本体３１は、矩形の端板３３の外周に周壁３４を設けた構成とされ、上記端板３３の内面には制御基板Ｘを支持する複数の突出部３５が形成されており、全体が透明な樹脂により成形されている。制御基板Ｘは、突出部３５にねじ込むビスの締付けにより固定される。このケース本体３１には多数の放熱孔が形成されているが図では省略している。
【００２２】
一方、蓋３２は、ケース本体３１の周壁３４と同形状で同一大きさの薄肉厚の板体からなり、透明な樹脂により成形されている。蓋３２は、ケース本体３１の突出部３５にねじ込むビスの締付けにより、制御基板Ｘと共にケース本体３１に固定され、その固定によって周壁３４の開口を密閉するようになっている。
【００２３】
蓋３２の内面には、制御基板Ｘの外周部を押える突出部３７が形成され、その突出部３７はケース本体３１に形成された上記周壁３４の開口部内周に対して嵌合可能とされている。また、蓋３２には、多数の放熱孔３８が形成されている。
【００２４】
ケース本体３１内に制御基板Ｘを収容し、蓋３２をねじ止めする収容ケース３０の組立て状態において、ケース本体３１と蓋３２に跨るようにして図８に示す封印シール５０が貼着される。
【００２５】
実施の形態においては、蓋３２の対向する一対の長辺部のそれぞれの長さ方向の一部に合計２枚の封印シール５０を貼り付けるようにしており、上記蓋３２には、そのシール貼着部位にケース本体３１側に突出する突出壁３９が設けられている。
【００２６】
突出壁３９は、板片状をなし、その幅寸法は封印シール５０の幅寸法より少し大きくなっている。この板片状の突出壁３９はケース本体３１における周壁３４の開口端に形成された切欠部４０に対して嵌合可能とされている。
【００２７】
突出壁３９の外面には、蓋３２の平坦な外表面３２ａに滑らかに連続する曲面４１と、その曲面４１の端から接線方向に延びて蓋３２の外表面３２ａと直交する平面４２とが形成され、上記曲面４１の曲率半径ｒは蓋３２の板厚ｔ以上とされている。また、その曲面４１に続く平面４２はケース本体３１の周壁３４外面の延長面を形成するようになっている。
【００２８】
蓋３２の内面には、封印シール５０の貼付領域を示す位置表示マーク４４が形成されている。位置表示マーク４４は、封印シール５０の輪郭に沿う不連続の線状突出部が示されているが、連続した線状突出部からなるものであってもよい。また、封印シール５０の輪郭に沿う溝状のものであってもよい。
【００２９】
また、蓋３２の内面には、上記位置表示マーク４４で囲まれた内側に、封印シール５０に印刷されたロゴ５１の頭（かしら）数文字と同一のロゴ４５が形成されている。
【００３０】
上記の構成からなる制御基板収納ケース３０に対する封印シール５０の貼り付けに際しては、封印シール５０の両端を摘み持って一端を蓋３２の外表面３２ａに接着する。この場合、封印シール５０の輪郭を位置表示マーク４４に一致させ、かつ、封印シール５０に形成されたロゴ５１の向きを蓋３２に形成されたロゴ４５と同一の向きとして封印シール５０の一端を接着し、その一端の接着部位から他端に向けて封印シール５０を指先で順次押し付けていくようにする。
【００３１】
上記のように、封印シール５０に形成されたロゴ５１の向きを蓋３２に形成されたロゴ４５と同一の向きとして封印シール５０を貼り付けることにより、左右が反対向きとなる貼り付けを防止することができ、封印シール５０を常に正しい向きに貼り付けることができる。
【００３２】
また、封印シール５０の輪郭を位置表示マーク４４に一致させて貼り付けることにより、傾きのないように封印シール５０を貼り付けることができる。
【００３３】
ここで、位置表示マーク４４やロゴ４５は蓋３２の内面に形成されているため、その位置表示マーク４４やロゴ４５が封印シール５０の貼着を阻害することがなく、封印シール５０の粘着面の全体が密着する貼着状態を得ることができる。
【００３４】
実施の形態で示すように、蓋３２のシール接着部位に形成された突出壁３９に蓋３２の平坦な外表面３２ａに滑らかに連続する曲率半径の大きな曲面４１と、その曲面４１の端から接線方向に延びてケース本体３１の周壁３４外面の延長面となる平面４２とを設けておくと、指先をシール接着面に沿ってスムーズに、しかも、空気を押し出す状態で移動させていくことができるため、皺や破れを生じさせることなく、また、気泡を形成させることなく封印シール５０を簡単にきれいに貼り付けることができる。
【００３５】
また、突出壁３９に形成された曲面４１の曲率半径ｒは蓋３２の板厚ｔ以上の大きさであるため、封印シール５０の貼着状態で、封印シール５０の折れ曲がり長さを長くとることができる。このため、封印シール５０の折れ曲がり部位での復元弾性力が弱く、上記曲面４１に対する接着が仮に不完全な場合であっても、封印シール５０は剥離するようなことはない。
【００３６】
また、突出壁３９の外面に曲面４１を形成することにより、その曲面４１の外側に溝４３が形成されることになるため、封印シール５０の貼着部位を特定することができ、封印シール５０を所定の位置に正確に、簡単に貼り付けることができる。
【００３７】
実施の形態においては、蓋３２の内面に位置表示マーク４４やロゴ４５を設けるようにしたが、この表示マーク４４やロゴ４５はケース本体３１の周壁３４内面にのみ設けるようにしてもよく、あるいは、蓋３２とケース本体３１の両方に設けるようにしてもよい。ケース本体３１と蓋３２のそれぞれに位置表示マーク４４を設ける場合、収納ケース側のロゴ４５は、封印シール５０のロゴ５１と全文字同一としてもよい。
【００３８】
Ｘ・・・制御基板、３１・・・ケース本体、３２・・・蓋、３３・・・端板、３４・・・周壁、３９・・・突出壁、４０・・・切欠部、４１・・・曲面、４２・・・平面、４４・・・位置表示マーク、４５・・・ロゴ、５０・・・封印シール、５１・・・ロゴ
【図１】
2012176306.tif 000003
【図２】
2012176306.tif 000004
【図３】
2012176306.tif 000005
【図４】
2012176306.tif 000006
【図５】
2012176306.tif 000007
【図６】
2012176306.tif 000008
【図７】
2012176306.tif 000009
【図８】
2012176306.tif 000010